(57)【特許請求の範囲】
【請求項１】
（Ａ）一般式（１）
Ｒ１Ｏ−（Ｒ２Ｏ）ｍ−Ｈ （１）
［式中、Ｒ１は、水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
（Ｂ）一般式（２）
【化１】
0004696435.tif 000011
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一であっても異なっていてもよい。］
で表されるポリオキシアルキレングリセリルエーテル
からなる群から選択される少なくとも１種の水酸基含有成分を含有するオイルフィルター目詰まり防止剤。
【請求項２】
（Ａ）一般式（１）
Ｒ１Ｏ−（Ｒ２Ｏ）ｍ−Ｈ  （１）
［式中、Ｒ１は、水素原子又は炭素数１〜８のアルキル基を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテルと
（Ｂ）一般式（２）
【化２】
0004696435.tif 000012
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一であっても異なっていてもよい。］
で表されるポリオキシアルキレングリセリルエーテル
との混合物を含有するオイルフィルター目詰まり防止剤。
【請求項３】
（Ａ）一般式（１）で表されるポリオキシアルキレンエーテルと（Ｂ）一般式（２）で表されるポリオキシアルキレングリセリルエーテルとが、重量比（Ａ）：（Ｂ）＝５０：５０〜９９：１の割合で使用される請求項２に記載のオイルフィルター目詰まり防止剤。
【請求項４】
一般式（１）で表されるポリオキシアルキレンエーテル（Ａ）が、
一般式（３）
Ｒ５Ｏ−（Ｒ６Ｏ）ｘ−（Ｒ７Ｏ）ｙ−Ｈ （３）
［式中、Ｒ５は、水素原子又は炭素数１〜８のアルキル基を表す。Ｒ６及びＲ７は、同一又は異なって、炭素数２〜４のアルキレン基を示す。ｘ及びｙは同一又は異なって、０〜１０の整数である。但し、１≦ｘ＋ｙ≦１０である。］
で表される化合物、又は、
一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８は、水素原子又は炭素数１〜８のアルキル基を表す。Ｒ９及びＲ１１は、同一又は異なって、炭素数２〜４のアルキレン基を示す。Ｒ１０は炭素数５〜１０のアルキレン基を示す。ｘ１及びｙ１は０〜１０の整数である。ｚは１〜１０の整数である。但し、１≦ｘ１＋ｙ１＋ｚ≦１０を満たす。］
で表される化合物である請求項２に記載のオイルフィルター目詰まり防止剤。
【請求項５】
一般式（１）で表されるポリオキシアルキレンエーテルが、Ｒ５がＨであり、Ｒ６が炭素数２〜４のアルキレン基であり、ｘ＝２〜１０、ｙ＝０である一般式（３）で表される化合物であるか、或いは、Ｒ５がＨであり、Ｒ６がプロピレン基であり、ｘ＝２〜８、ｙ＝０である一般式（３）で表される化合物である請求項４に記載のオイルフィルター目詰まり防止剤。
【請求項６】
一般式（１）で表されるポリオキシアルキレンエーテルが、Ｒ８がＨであり、Ｒ１０が炭素数５〜８のアルキレン基であり、ｚが１〜４、ｘ１＝ｙ１＝０である一般式（４）で表される化合物である請求項４に記載のオイルフィルター目詰まり防止剤。
【請求項７】
一般式（２）において、Ｒ４がＨであり、ｎ＝０であるか、又は、Ｒ４がＨであり、Ｒ３が炭素数２〜４のアルキレン基であり、ｎ＝１〜８である請求項２に記載のオイルフィルター目詰まり防止剤。
【請求項８】
水酸基含有成分が、一般式（３）
Ｒ５Ｏ−（Ｒ６Ｏ）ｘ−（Ｒ７Ｏ）ｙ−Ｈ （３）
［式中、Ｒ５がＨであり、Ｒ６が炭素数２〜４のアルキレン基であり、ｘ＝２〜１０、ｙ＝０であるか、或いはＲ５がＨであり、Ｒ６がプロピレン基であり、ｘ＝２〜８、ｙ＝０である］
で表される化合物である請求項１に記載のオイルフィルター目詰まり防止剤。
【請求項９】
水酸基含有成分が、一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８はＨであり、Ｒ１０は炭素数５〜８のアルキレン基であり、ｚ＝１〜４、ｘ１＝ｙ１＝０である］
で表される化合物である請求項１に記載のオイルフィルター目詰まり防止剤。
【請求項１０】
水酸基含有成分が、Ｒ４がＨであり且つｎ＝０である一般式（２）で表される化合物であるか、又は、Ｒ４がＨであり、Ｒ３が炭素数２〜４のアルキレン基であり、且つｎ＝１〜８である一般式（２）で表される化合物である請求項１に記載のオイルフィルター目詰まり防止剤。
【請求項１１】
一般式（２）で表されるポリオキシアルキレングリセリルエーテルに加えて、
当該ポリオキシアルキレングリセリルエーテルのグリセリン骨格の遊離水酸基に、アルキレンオキサイドが付加された化合物（アルキレンオキサイド合計付加モル数が２〜８である）を更に含む請求項１又は２に記載のオイルフィルター目詰まり防止剤。
【請求項１２】
一般式（１）
Ｒ１Ｏ−（Ｒ２Ｏ）ｍ−Ｈ  （１）
［式中、Ｒ１は、水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
一般式（５）
【化３】
0004696435.tif 000013
［式中、３つのＲ’は、同一又は異なって、基−（Ｒ３Ｏ）ｎ１−Ｈを表す。Ｒ３は、炭素数２〜４のアルキレン基を表す。ｎ１は０〜８の整数である。３つのｎ１は、同一又は異なって、それらの合計は２〜８である。］
で表される化合物
を含有するオイルフィルター目詰まり防止剤。
【請求項１３】
（Ｉ）（Ａ）一般式（１）
Ｒ１Ｏ−（Ｒ２Ｏ）ｍ−Ｈ （１）
［式中、Ｒ１は水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
（Ｂ）一般式（２）
【化４】
0004696435.tif 000014
［式中、Ｒ３は、炭素数２〜４のアルキレン基を表す。Ｒ４は、水素原子又は炭素数１〜１０のアルキル基を表す。ｎは０〜８の整数を表す。ｎが２以上の場合、２以上のＲ３は同一又は異なっていてもよい。］
で表されるポリオキシアルキレングリセリルエーテル
からなる群から選択される少なくとも１種の水酸基含有成分を含有するオイルフィルター目詰まり防止剤、及び
（ＩＩ）鉱油系基油及び合成系基油からなる群から選択される少なくとも１種の基油
を含有するエンジン油組成物（但し、（ａ）下記一般式（Ａ）で表されるモリブデン化合物、（ｂ）下記一般式（Ｂ）で表されるモリブデン化合物、及び（ｃ）６価のモリブデン化合物と下記一般式（Ｃ）で表されるアミンとの反応により得られるモリブデン化合物からなる群から選択される少なくとも１種を含む場合を除く。）。
【化５】
0004696435.tif 000015
［式中、Ｒ１Ａ、Ｒ２Ａ、Ｒ３Ａ及びＲ４Ａはそれぞれ炭化水素基を表す。Ｘ１は酸素原子又は硫黄原子を表す。］
【化６】
0004696435.tif 000016
［式中、Ｒ５Ａ、Ｒ６Ａ、Ｒ７Ａ及びＲ８Ａはそれぞれ炭化水素基を表す。Ｘ２は酸素原子又は硫黄原子を表す。］
【化７】
0004696435.tif 000017
［式中、Ｒ９Ａ及びＲ１０Ａは水素原子及び／又は炭化水素基を表す。Ｒ９Ａ及びＲ１０Ａは同時に水素原子とはならない。］
【請求項１４】
（Ａ）一般式（１）
Ｒ１Ｏ−（Ｒ２Ｏ）ｍ−Ｈ （１）
［式中、Ｒ１は水素原子又は炭素数１〜８のアルキル基を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテルと
（Ｂ）一般式（２）
【化８】
0004696435.tif 000018
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一であっても異なっていてもよい。］
で表されるポリオキシアルキレングリセリルエーテルとの混合物を含有するオイルフィルター目詰まり防止剤、及び
（ＩＩ）鉱油系基油及び合成系基油からなる群から選択される少なくとも１種の基油
を含有するエンジン油組成物（但し、（ａ）下記一般式（Ａ）で表されるモリブデン化合物、（ｂ）下記一般式（Ｂ）で表されるモリブデン化合物、及び（ｃ）６価のモリブデン化合物と下記一般式（Ｃ）で表されるアミンとの反応により得られるモリブデン化合物からなる群から選択される少なくとも１種を含む場合を除く。）。
【化９】
0004696435.tif 000019
［式中、Ｒ１Ａ、Ｒ２Ａ、Ｒ３Ａ及びＲ４Ａはそれぞれ炭化水素基を表す。Ｘ１は酸素原子又は硫黄原子を表す。］
【化１０】
0004696435.tif 000020
［式中、Ｒ５Ａ、Ｒ６Ａ、Ｒ７Ａ及びＲ８Ａはそれぞれ炭化水素基を表す。Ｘ２は酸素原子又は硫黄原子を表す。］
【化１１】
0004696435.tif 000021
［式中、Ｒ９Ａ及びＲ１０Ａは水素原子及び／又は炭化水素基を表す。Ｒ９Ａ及びＲ１０Ａは同時に水素原子とはならない。］。
【請求項１５】
オイルフィルター目詰まり防止剤が、エンジン油組成物全量に対して、０．０１〜２重量％の量で使用される請求項１３又は１４に記載のエンジン油組成物。
【請求項１６】
（Ａ）一般式（１）で表されるポリオキシアルキレンエーテルと（Ｂ）一般式（２）で表されるポリオキシアルキレングリセリルエーテルとが、重量比（Ａ）：（Ｂ）＝５０：５０〜９９：１で使用される請求項１４に記載のエンジン油組成物。
【請求項１７】
一般式（１）で表されるポリオキシアルキレンエーテルが、
一般式（３）
Ｒ５Ｏ−（Ｒ６Ｏ）ｘ−（Ｒ７Ｏ）ｙ−Ｈ （３）
［式中、Ｒ５は、水素原子又は炭素数１〜８のアルキル基を表す。Ｒ６及びＲ７は同一又は異なって、炭素数２〜４のアルキレン基を示す。ｘ及びｙは同一又は異なって、０〜１０の整数である。但し、１≦ｘ＋ｙ≦１０である。］
で表される化合物、又は、
一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８は、水素原子又は炭素数１〜８のアルキル基を表す。Ｒ９及びＲ１１は同一又は異なって、炭素数２〜４のアルキレン基を示す。Ｒ１０は炭素数５〜１０のアルキレン基を示す。ｘ１及びｙ１は０〜１０の整数である。ｚは１〜１０の整数である。但し、１≦ｘ１＋ｙ１＋ｚ≦１０を満たす。］
で表される化合物である請求項１４に記載のエンジン油組成物。
【請求項１８】
一般式（１）で表されるポリオキシアルキレンエーテルが、Ｒ５がＨであり、Ｒ６が炭素数２〜４のアルキレン基であり、ｘ＝２〜１０、ｙ＝０である一般式（３）の化合物であるか、或いは、Ｒ５がＨであり、Ｒ６がプロピレン基であり、且つｘ＝２〜８、ｙ＝０である一般式（３）の化合物である請求項１７に記載のエンジン油組成物。
【請求項１９】
一般式（１）で表されるポリオキシアルキレンエーテルが、Ｒ８がＨであり、Ｒ１０が炭素数５〜８のアルキレン基であり、ｚ＝１〜４、ｘ１＝ｙ１＝０である一般式（４）で表される化合物である請求項１７に記載のエンジン油組成物。
【請求項２０】
一般式（２）において、Ｒ４がＨであり且つｎ＝０であるか、或いは、Ｒ４がＨであり、Ｒ３が炭素数２〜４のアルキレン基であり、且つｎ＝１〜８である請求項１４に記載のエンジン油組成物。
【請求項２１】
水酸基含有成分が、一般式（３）
Ｒ５Ｏ−（Ｒ６Ｏ）ｘ−（Ｒ７Ｏ）ｙ−Ｈ （３）
［式中、Ｒ５がＨであり、Ｒ６が炭素数２〜４のアルキレン基であり、ｘ＝２〜１０、ｙ＝０であるか、或いは、Ｒ５がＨであり、Ｒ６がプロピレン基であり、ｘ＝２〜８、ｙ＝０である。］
で表される化合物である請求項１３に記載のエンジン油組成物。
【請求項２２】
水酸基含有成分が、一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８がＨであり、Ｒ１０が炭素数５〜８のアルキレン基であり、ｚ＝１〜４、ｘ１＝ｙ１＝０である。］
で表される化合物である請求項１３に記載のエンジン油組成物。
【請求項２３】
水酸基含有成分が、Ｒ４がＨであり且つｎ＝０である一般式（２）で表される化合物であるか、又は、Ｒ４がＨであり、Ｒ３が炭素数２〜４のアルキレン基であり、且つｎ＝１〜８である一般式（２）で表される化合物である請求項１３に記載のエンジン油組成物。
【請求項２４】
一般式（２）で表されるポリオキシアルキレングリセリルエーテルに加えて、
当該ポリオキシアルキレングリセリルエーテルのグリセリン骨格の遊離水酸基に、アルキレンオキサイドが付加された化合物（アルキレンオキサイド合計付加モル数が２〜８である）を更に含む請求項１３又は１４に記載のエンジン油組成物。
【請求項２５】
（Ｉ）一般式（１）
Ｒ１Ｏ−（Ｒ２Ｏ）ｍ−Ｈ  （１）
［式中、Ｒ１は、水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
一般式（５）
【化１２】
0004696435.tif 000022
［式中、３つのＲ’は、同一又は異なって、基−（Ｒ８Ｏ）ｎ１−Ｈを表す。Ｒ３は、炭素数２〜４のアルキレン基を表す。ｎ１は０〜８の整数である。３つのｎ１は、同一又は異なって、それらの合計は２〜８である。］
で表される化合物
を含有するオイルフィルター目詰まり防止剤、及び
（ＩＩ）鉱油系基油及び合成系基油からなる群から選択される少なくとも１種の基油を含有するエンジン油組成物（但し、（ａ）下記一般式（Ａ）で表されるモリブデン化合物、（ｂ）下記一般式（Ｂ）で表されるモリブデン化合物、及び（ｃ）６価のモリブデン化合物と下記一般式（Ｃ）で表されるアミンとの反応により得られるモリブデン化合物からなる群から選択される少なくとも１種を含む場合を除く。）。
【化１３】
0004696435.tif 000023
［式中、Ｒ１Ａ、Ｒ２Ａ、Ｒ３Ａ及びＲ４Ａはそれぞれ炭化水素基を表す。Ｘ１は酸素原子又は硫黄原子を表す。］
【化１４】
0004696435.tif 000024
［式中、Ｒ５Ａ、Ｒ６Ａ、Ｒ７Ａ及びＲ８Ａはそれぞれ炭化水素基を表す。Ｘ２は酸素原子又は硫黄原子を表す。］
【化１５】
0004696435.tif 000025
［式中、Ｒ９Ａ及びＲ１０Ａは水素原子及び／又は炭化水素基を表す。Ｒ９Ａ及びＲ１０Ａは同時に水素原子とはならない。］。
【請求項２６】
エンジン油を濾過するために使用されるオイルフィルターの目詰まりを防止する方法であって、
（Ａ）一般式（１）
Ｒ１Ｏ−（Ｒ２Ｏ）ｍ−Ｈ （１）
［式中、Ｒ１は水素原子を表す。Ｒ２は、炭素数２〜１０のアルキレン基を表す。ｍは１〜１０の整数を表す。ｍが２以上の場合、２以上のＲ２は同一又は異なっていてもよい。］
で表されるポリオキシアルキレンエーテル、及び
（Ｂ）一般式（２）
【化１６】
0004696435.tif 000026
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一又は異なっていてもよい。］
で表されるポリオキシアルキレングリセリルエーテル
からなる群から選択される少なくとも１種の水酸基含有成分を含むオイルフィルター目詰まり防止剤を、エンジン油に添加することからなる方法。
【請求項２７】
エンジン油を濾過するために使用されるオイルフィルターの目詰まりを防止する方法であって、
（Ａ）一般式（１）
Ｒ１Ｏ−（Ｒ２Ｏ）ｍ−Ｈ （１）
［式中、Ｒ１は水素原子又は炭素数１〜８のアルキル基を表す。Ｒ２は、炭素数２〜１０のアルキレン基を表す。ｍは１〜１０の整数を表す。ｍが２以上の場合、２以上のＲ２は同一又は異なっていてもよい。］
で表されるポリオキシアルキレンエーテル及び
（Ｂ）一般式（２）
【化１７】
0004696435.tif 000027
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一であっても異なっていてもよい。］
で表されるポリオキシアルキレングリセリルエーテル
の混合物を含有するオイルフィルター目詰まり防止剤を、エンジン油に添加することからなる方法。
【請求項２８】
（Ａ）一般式（１）で表されるポリオキシアルキレンエーテルと（Ｂ）一般式（２）で表されるポリオキシアルキレングリセリルエーテルとが、重量比（Ａ）：（Ｂ）＝５０：５０〜９９：１で使用される請求項２７に記載の方法。
【請求項２９】
一般式（１）で表されるポリオキシアルキレンエーテルが、一般式（３）
Ｒ５Ｏ−（Ｒ６Ｏ）ｘ−（Ｒ７Ｏ）ｙ−Ｈ （３）
［式中、Ｒ５は、水素原子又は炭素数１〜８のアルキル基を表す。Ｒ６及びＲ７は同一又は異なって、炭素数２〜４のアルキレン基を示す。ｘ及びｙは同一又は異なって、０〜１０の整数である。但し、１≦ｘ＋ｙ≦１０である。］
で表される化合物、又は、
一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８は、水素原子又は炭素数１〜８のアルキル基を表す。Ｒ９及びＲ１１は、同一又は異なって、炭素数２〜４のアルキレン基を示す。Ｒ１０は炭素数５〜１０のアルキレン基を示す。ｘ１及びｙ１は０〜１０の整数である。ｚは１〜１０の整数である。但し、１≦ｘ１＋ｙ１＋ｚ≦１０を満たす。］
で表される化合物である請求項２７に記載の方法。
【請求項３０】
一般式（１）で表されるポリオキシアルキレンエーテルが、Ｒ５がＨであり、Ｒ６が炭素数２〜４のアルキレン基であり、ｘ＝２〜１０、ｙ＝０である一般式（３）の化合物であるか、或いは、Ｒ５がＨであり、Ｒ６がプロピレン基であり、且つｘ＝２〜８、ｙ＝０である一般式（３）の化合物である請求項２９に記載の方法。
【請求項３１】
一般式（１）で表されるポリオキシアルキレンエーテルが、Ｒ８がＨであり、Ｒ１０が炭素数５〜８のアルキレン基であり、ｚ＝１〜４、ｘ１＝ｙ１＝０である一般式（４）で表される化合物である請求項２９に記載の方法。
【請求項３２】
一般式（２）において、Ｒ４がＨであり且つｎ＝０であるか、或いは、Ｒ４がＨであり、Ｒ３が炭素数２〜４のアルキレン基であり、且つｎ＝１〜８である請求項２７に記載の方法。
【請求項３３】
水酸基含有成分が、一般式（３）
Ｒ５Ｏ−（Ｒ６Ｏ）ｘ−（Ｒ７Ｏ）ｙ−Ｈ （３）
［式中、Ｒ５がＨであり、Ｒ６が炭素数２〜４のアルキレン基であり、ｘ＝２〜１０、ｙ＝０であるか、或いは、Ｒ５がＨであり、Ｒ６がプロピレン基であり、ｘ＝２〜８、ｙ＝０である。］
で表される化合物である請求項２６に記載の方法。
【請求項３４】
水酸基含有成分が、一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８がＨであり、Ｒ１０が炭素数５〜８のアルキレン基であり、ｚ＝１〜４、ｘ１＝ｙ１＝０である。］
で表される化合物である請求項２６に記載の方法。
【請求項３５】
水酸基含有成分が、Ｒ４がＨであり且つｎ＝０である一般式（２）で表される化合物であるか、或いは、Ｒ４がＨであり、Ｒ３が炭素数２〜４のアルキレン基であり、且つｎ＝１〜８である一般式（２）で表される化合物である請求項２６に記載の方法。
【請求項３６】
一般式（２）で表されるポリオキシアルキレングリセリルエーテルに加えて、
当該ポリオキシアルキレングリセリルエーテルのグリセリン骨格の遊離水酸基に、アルキレンオキサイドが付加された化合物（アルキレンオキサイド合計付加モル数が２〜８である）を更に含む請求項２６又は２７に記載の方法。
【請求項３７】
エンジン油を濾過するために使用されるオイルフィルターの目詰まりを防止する方法であって、
一般式（１）
Ｒ１Ｏ−（Ｒ２Ｏ）ｍ−Ｈ  （１）
［式中、Ｒ１は、水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
一般式（５）
【化１８】
0004696435.tif 000028
［式中、３つのＲ’は、同一又は異なって、基−（Ｒ３Ｏ）n1−Ｈを表す。Ｒ３は、炭素数２〜４のアルキレン基を表す。n1は０〜８の整数である。３つのn1は、同一又は異なって、それらの合計は２〜８である。］
で表される化合物
を含有するオイルフィルター目詰まり防止剤を、エンジン油に添加することからなる方法。
【請求項３８】
（Ｉ）（Ａ）一般式（１）
Ｒ１Ｏ−（Ｒ２Ｏ）ｍ−Ｈ （１）
［式中、Ｒ１は水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
（Ｂ）一般式（２）
【化１９】
0004696435.tif 000029
［式中、Ｒ３は、炭素数２〜４のアルキレン基を表す。Ｒ４は、水素原子を表す。ｎは０〜８の整数を表す。ｎが２以上の場合、２以上のＲ３は同一又は異なっていてもよい。］
で表されるポリオキシアルキレングリセリルエーテルからなる群から選択される少なくとも１種の水酸基含有成分を含有するオイルフィルター目詰まり防止剤、及び
（ＩＩ）鉱油系基油及び合成系基油からなる群から選択される少なくとも１種の基油
を含有するエンジン油組成物。
【請求項３９】
（Ａ）一般式（１）
Ｒ１Ｏ−（Ｒ２Ｏ）ｍ−Ｈ （１）
［式中、Ｒ１は水素原子又は炭素数１〜８のアルキル基を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテルと
（Ｂ）一般式（２）
【化２０】
0004696435.tif 000030
［式中、Ｒ３は、炭素数２〜４のアルキレン基を表す。Ｒ４は水素原子又は炭素数１〜１０のアルキル基を表す。ｎは０〜８の整数を表す。ｎが２以上の場合、２以上のＲ３は同一であっても異なっていてもよい。］
で表されるポリオキシアルキレングリセリルエーテルとの混合物を含有するオイルフィルター目詰まり防止剤、及び
（ＩＩ）鉱油系基油及び合成系基油からなる群から選択される少なくとも１種の基油を含有するエンジン油組成物。
【請求項４０】
オイルフィルター目詰まり防止剤が、エンジン油組成物全量に対して、０．０１〜２重量％の量で使用される請求項３８又は３９に記載のエンジン油組成物。
【請求項４１】
（Ａ）一般式（１）で表されるポリオキシアルキレンエーテルと（Ｂ）一般式（２）で表されるポリオキシアルキレングリセリルエーテルとが、重量比（Ａ）：（Ｂ）＝５０：５０〜９９：１で使用される請求項３９に記載のエンジン油組成物。
【請求項４２】
一般式（１）で表されるポリオキシアルキレンエーテルが、一般式（３）
Ｒ５Ｏ−（Ｒ６Ｏ）ｘ−（Ｒ７Ｏ）ｙ−Ｈ （３）
［式中、Ｒ５は、水素原子を表す。Ｒ６及びＲ７は同一又は異なって、炭素数２〜４のアルキレン基を示す。ｘ及びｙは同一又は異なって、０〜１０の整数である。但し、１≦ｘ＋ｙ≦１０である。］
で表される化合物、又は、
一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８は、水素原子を表す。Ｒ９及びＲ１１は同一又は異なって、炭素数２〜４のアルキレン基を示す。Ｒ１０は炭素数５〜１０のアルキレン基を示す。ｘ１及びｙ１は０〜１０の整数である。ｚは１〜１０の整数である。但し、１≦ｘ１＋ｙ１＋ｚ≦１０を満たす。］
で表される化合物である請求項３９に記載のエンジン油組成物。
【請求項４３】
一般式（１）で表されるポリオキシアルキレンエーテルが、Ｒ５がＨであり、Ｒ６が炭素数２〜４のアルキレン基であり、ｘ＝２〜１０、ｙ＝０である一般式（３）の化合物であるか、或いは、Ｒ５がＨであり、Ｒ６がプロピレン基であり、且つｘ＝２〜８、ｙ＝０である一般式（３）の化合物である請求項４２に記載のエンジン油組成物。
【請求項４４】
一般式（１）で表されるポリオキシアルキレンエーテルが、Ｒ８がＨであり、Ｒ１０が炭素数５〜８のアルキレン基であり、ｚ＝１〜４、ｘ１＝ｙ１＝０である一般式（４）で表される化合物である請求項４２に記載のエンジン油組成物。
【請求項４５】
一般式（２）において、Ｒ４がＨであり且つｎ＝０であるか、或いは、Ｒ４がＨであり、Ｒ３が炭素数２〜４のアルキレン基であり、且つｎ＝１〜８である請求項３９に記載のエンジン油組成物。
【請求項４６】
水酸基含有成分が、一般式（３）
Ｒ５Ｏ−（Ｒ６Ｏ）ｘ−（Ｒ７Ｏ）ｙ−Ｈ （３）
［式中、Ｒ５がＨであり、Ｒ６が炭素数２〜４のアルキレン基であり、ｘ＝２〜１０、ｙ＝０であるか、或いは、Ｒ５がＨであり、Ｒ６がプロピレン基であり、ｘ＝２〜８、ｙ＝０である。］
で表される化合物である請求項３８に記載のエンジン油組成物。
【請求項４７】
水酸基含有成分が、一般式（４）
Ｒ８Ｏ−（Ｒ９Ｏ）ｘ１−（Ｒ１０Ｏ）ｚ−（Ｒ１１Ｏ）ｙ１−Ｈ （４）
［式中、Ｒ８がＨであり、Ｒ１０が炭素数５〜８のアルキレン基であり、ｚ＝１〜４、ｘ１＝ｙ１＝０である。］
で表される化合物である請求項３８に記載のエンジン油組成物。
【請求項４８】
水酸基含有成分が、Ｒ４がＨであり且つｎ＝０である一般式（２）で表される化合物であるか、又は、Ｒ４がＨであり、Ｒ３が炭素数２〜４のアルキレン基であり、且つｎ＝１〜８である一般式（２）で表される化合物である請求項３８に記載のエンジン油組成物。
【請求項４９】
一般式（２）で表されるポリオキシアルキレングリセリルエーテルに加えて、
当該ポリオキシアルキレングリセリルエーテルのグリセリン骨格の遊離水酸基に、アルキレンオキサイドが付加された化合物（アルキレンオキサイド合計付加モル数が２〜８である）を更に含む請求項３８又は３９に記載のエンジン油組成物。
【請求項５０】
（Ｉ）一般式（１）
Ｒ１Ｏ−（Ｒ２Ｏ）ｍ−Ｈ  （１）
［式中、Ｒ１は、水素原子を表す。Ｒ２は、炭素数２〜１０のアルキレン基を表す。ｍは１〜１０の整数を表す。ｍが２以上の場合、２以上のＲ２は同一であっても異なっていてもよい。］
で表されるポリオキシアルキレンエーテル、及び
更に、一般式（５）
【化２１】
0004696435.tif 000031
［式中、３つのＲ’は、同一又は異なって、基−（Ｒ３Ｏ）ｎ１−Ｈを表す。Ｒ３は、炭素数２〜４のアルキレン基を表す。ｎ１は０〜８の整数である。３つのｎ１は、同一又は異なって、それらの合計は２〜８である。］
で表される化合物
を含有するオイルフィルター目詰まり防止剤、及び
（ＩＩ）鉱油系基油及び合成系基油からなる群から選択される少なくとも１種の基油
を含有するエンジン油組成物。
【発明の詳細な説明】
技術分野
本発明は、水が混入したエンジン油のオイルフィルター目詰まりを著しく改善する、非イオン系界面活性剤ないし水酸基含有成分を含有するオイルフィルター目詰まり防止剤、それを用いたオイルフィルター目詰まり防止方法及びそれを含有するエンジン油組成物に関するものである。
従来の技術
最近、エンジンの高出力化、省燃費性向上および排出ガス規制に伴う燃焼性の改良により、エンジン油の要求性能が厳しくなってきた。これらの要求性能を満足させるために、添加剤の新たな処方技術が必要になってきている。その１つの性能にオイルフィルター目詰まりの防止がある。
オイルフィルターの目詰まりは、ブローバイガス中の水分が凝縮して油中に混入し、油中に溶解していた添加剤が影響を受け、油から分離したり、フーツ状またはマヨネーズ状のスラッジ等が生成し、エンジン油がフィルターを通過しにくくなることにより生じる。オイルフィルターの目詰まりが生じた場合、エンジン油の循環を悪化させてしまい、トラブルの原因となる。
これまで、オイルフィルターの目詰まり防止のための添加剤としては、水分離性能を向上させる効果を有する組成物が、日本国特開平８−１７６５８３号公報に記載されている。日本国特開平８−１７６５８３号公報には、鉱油系潤滑油若しくは合成系潤滑油あるいは両者の混合物の基油に、（Ａ）アルケニルこはく酸イミド又はその誘導体、（Ｄ）界面活性剤及び（Ｃ）塩基価が１００ｍｇＫＯＨ／ｇ以上のカルシウムサリシレートを添加して、ディーゼルエンジン油の水分離性を向上させることが記載されている。
上記（Ｄ）成分である界面活性剤としては、炭素数８〜２２のアルキル基を有するポリオキシアルキルアミン、炭素数１０〜２０のアルキル基またはアルケニル基を有するポリオキシエチレンアルキルまたはアルケニルエーテル、炭素数１０〜２０のアルキル基またはアルケニル基を有するポリオキシプロピレンアルキルまたはアルケニルエーテル、炭素数６〜１２のアルキル基を有するポリオキシエチレンアルキルフェニルエーテル等が記載されている。
しかし、上記公報においては、上記（Ａ）アルケニルこはく酸イミド又はその誘導体、（Ｄ）界面活性剤及び（Ｃ）塩基価が１００ｍｇＫＯＨ／ｇ以上のカルシウムサリシレートの３者が水分離性能向上のための必須成分として記載されており、該（Ｄ）成分たる界面活性剤が単独で、水分離性能向上に有効であることは記載されていない。
しかも、上記公報には、上記（Ｄ）成分として記載されている界面活性剤の具体例として、ポリオキシエチレンノニルフェニルエーテルが実施例において記載されているだけである。
また、水分離性能が向上してもオイルフィルターの目詰まりを起こす場合が多く見られる。例えば、特開平８−１７６５８３号公報に記載のエンジン油組成物の場合、水分離性を向上させることが可能であるが、水を除去する訳ではなく、一端分離した水が再度分散されることが考えられ、フーツ状スラッジを形成するためか、オイルフィルター目詰まりの防止には不十分であった。そこで、フーツ状またはマヨネーズ状のスラッジ生成を抑制する性能を有する添加剤が開発されれば、オイルフィルター目詰まりを著しく改善でき、このようなトラブルが解消され、極めて有用である。
発明の開示
本発明は、上記の従来技術状況に鑑み、エンジン油に水が混入した時、フーツ状またはマヨネーズ状スラッジの生成を抑制し、エンジン油のオイルフィルター目詰まりを著しく改善するオイルフィルター目詰まり防止剤を提供することを目的とする。
本発明者らは、上記目的を達成するために鋭意検討を行った結果、エンジン油に特定の非イオン系界面活性剤ないし水酸基含有成分を配合させることにより、優れたオイルフィルター目詰まり防止性能を発揮できることを見出し、この知見に基づき本発明を完成するに至った。
すなわち、本発明は、一般式（１）
Ｒ１Ｏ−（Ｒ２Ｏ）ｍ−Ｈ          （１）
［式中、Ｒ１は水素原子又は炭素数１〜８のアルキル基を表す。Ｒ２は、炭素数２〜１０のアルキレン基を表す。ｍは１〜１０の整数を表す。ｍが２以上の場合は、２以上のＲ２は同一又は異なっていてもよい。］
で表されるポリオキシアルキレンエーテル、及び、
一般式（２）
0004696435.tif 000002
［式中、Ｒ３は、炭素数２〜４のアルキレン基を表す。Ｒ４は水素原子又は炭素数１〜１０のアルキル基を表す。ｎは０〜８の整数を表す。ｎが２以上の整数を表す場合、２以上のＲ３は同一であっても異なっていてもよい。］
で表されるポリオキシアルキレングリセリルエーテルからなる群から選択される少なくとも１種の水酸基含有成分を含有するオイルフィルター目詰まり防止剤を提供する。
更に、本発明は、（Ｉ）一般式（１）
Ｒ１Ｏ−（Ｒ２Ｏ）ｍ−Ｈ          （１）
［式中、Ｒ１、Ｒ２及びｍは前記に同じである。］
で表されるポリオキシアルキレンエーテル及び
一般式（２）
0004696435.tif 000003
［式中、Ｒ３、Ｒ４及びｎは前記に同じである。］
で表されるポリオキシアルキレングリセリルエーテルからなる群から選択される少なくとも１種の水酸基含有成分を含有するオイルフィルター目詰まり防止剤、及び
（ＩＩ）鉱油系基油及び合成系基油からなる群から選択される少なくとも１種の基油
を含有するエンジン油組成物を提供する。
同時に、本発明は、一般式（１）
Ｒ１Ｏ−（Ｒ２Ｏ）ｍ−Ｈ          （１）
［式中、Ｒ１、Ｒ２及びｍは前記に同じである。］
で表されるポリオキシアルキレンエーテル及び
一般式（２）
0004696435.tif 000004
［式中、Ｒ３、Ｒ４及びｎは前記に同じである。］
で表されるポリオキシアルキレングリセリルエーテルからなる群から選択される少なくとも１種の水酸基含有成分を含有するオイルフィルター目詰まり防止剤を、エンジン油に添加することを特徴とするオイルフィルターの目詰まり防止方法をも提供する。
発明の詳細な記載
オイルフィルター目詰まり防止剤
本発明のオイルフィルター目詰まり防止剤は、一般式（１）
Ｒ１Ｏ−（Ｒ２Ｏ）ｍ−Ｈ          （１）
［式中、Ｒ１、Ｒ２及びｍは前記に同じである。］
で表されるポリオキシアルキレンエーテル、及び
一般式（２）
0004696435.tif 000005
［式中、Ｒ３、Ｒ４及びｎは前記に同じである。］
で表されるポリオキシアルキレングリセリルエーテルの群から選択される少なくとも１種の非イオン系界面活性剤ないし水酸基含有成分を含む。
一般式（１）で表されるポリオキシアルキレンエーテル
一般式（１）で表されるポリオキシアルキレンエーテルにおいて、Ｒ１は水素原子又は炭素数１〜８のアルキル基を表す。ｍは１〜１０の整数を表す。Ｒ２は同一又は異なって、炭素数２〜１０のアルキレン基を表す。即ち、Ｒ２は炭素数２〜１０のアルキレン基を表し、ｍが２以上の場合は、２以上のＲ２は同一であっても相異なっていてもよい。
具体的なＲ１としては、水素原子又は炭素数１〜８の直鎖状アルキル基若しくは炭素数３〜８の分岐鎖状アルキル基が推奨される。
Ｒ１は、好ましくは、水素原子であるか又は炭素数１〜８の直鎖状アルキル基若しくは炭素数３〜８の分岐鎖状アルキル基、例えば、メチル基、エチル基、ｎ−プロピル基、イソプロピル基、ｎ−ブチル基、イソブチル基、ｓｅｃ−ブチル基、ｎ−ペンチル基、イソペンチル基、ｎ−ヘキシル基、イソヘキシル基、ｎ−ヘプチル基、イソヘプチル基、２−メチルヘキシル基、ｎ−オクチル基、１−メチルヘプチル基、２−メチルヘプチル基、２−エチルヘキシル基、２−オクチル基、イソオクチル基である。
Ｒ２としては、直鎖状若しくは分岐鎖を有する炭素数２〜１０のアルキレン基が例示され、具体的には炭素数２〜８の直鎖状又は炭素数３〜８の分岐鎖状のアルキレン基が例示される。また、ｍで表されるオキシアルキレン基の数は、１〜１０であるが、平均値で表されることがある。
Ｒ２で表される炭素数２〜１０のアルキレン基のより具体的なものとしては、エチレン基、プロピレン基、イソプロピレン基、ブチレン基、イソブチレン基、ペンチレン基、ヘキシレン基、オクチレン基、ノニレン基、デシレン基等が例示される。
一般式（１）で表されるポリオキシアルキレンエーテルは、更に
一般式（３）
Ｒ５Ｏ−（Ｒ６Ｏ）ｘ−（Ｒ７Ｏ）ｙ−Ｈ              （３）
［式中、Ｒ５は、Ｒ１と同義である。Ｒ６及びＲ７は同一又は異なって、炭素数２〜４のアルキレン基を示す。ｘ及びｙは同一又は異なって、０〜１０の整数である。但し、１≦ｘ＋ｙ≦１０を満たす。］
で表されるポリオキシアルキレンエーテル、及び
一般式（４）
Ｒ８Ｏ−（Ｒ９Ｏ）ｘ１−（Ｒ１０Ｏ）ｚ−（Ｒ１１Ｏ）ｙ１−Ｈ  （４）［式中、Ｒ８はＲ１と同義である。Ｒ９及びＲ１１は同一又は異なって、炭素数２〜４のアルキレン基を示す。Ｒ１０は炭素数５〜１０のアルキレン基を示す。ｘ１及びｙ１は０〜１０の整数である。ｚは１〜１０の整数である。但し、１≦ｘ１＋ｙ１＋ｚ≦１０を満たす。］
で表されるポリオキシアルキレンエーテルに分類することができる。
一般式（３）で表されるポリオキシアルキレンエーテルは、市販されているものをそのまま利用できるほか、例えば、炭素数２〜４のアルキレンオキシドの１種若しくは２種以上を付加（共付加）させる方法（Ｒ５＝Ｈ）、或いは炭素数１〜８のアルカノールに炭素数２〜４のアルキレンオキシドの１種若しくは２種以上を付加（共付加）させる方法（Ｒ５＝炭素数１〜８のアルキル基）等の従来から慣用されている方法により、容易に調製可能である。
一般式（４）で表されるポリオキシアルキレンエーテルは、市販されているものをそのまま利用できるほか、例えば、
１）炭素数５〜１０の末端ジカルボン酸ジエステルを還元することにより炭素数５〜１０のアルキレン基を有する末端ジオールを調製する、
２）上記１）で得られた末端ジオールに、炭素数２〜４のアルキレンオキシドの１種若しくは２種以上を付加（共付加）させる、
３）上記１）又は２）の化合物と、炭素数１〜１０を有するアルキルハロゲン化物を塩基性触媒の存在下でアルキル化反応を行う、
方法等の従来から慣用されている方法により容易に調製可能である。
一般式（３）で表されるポリオキシアルキレンエーテルにおいて、Ｒ５、Ｒ６、Ｒ７、ｘ、ｙの好ましい組み合わせとしては、
・Ｒ５＝Ｈ、Ｒ６＝炭素数２〜４のアルキレン基、ｘ＝２〜１０、ｙ＝０、
・Ｒ５＝Ｈ、Ｒ６＝エチレン基、ｘ＝２〜８、ｙ＝０、
・Ｒ５＝Ｈ、Ｒ６＝プロピレン基、ｘ＝２〜８、ｙ＝０、
・Ｒ５＝Ｈ、Ｒ６＝炭素数２〜４のアルキレン基、ｘ＝１〜１０、Ｒ７＝炭素数２〜４のアルキレン基、ｙ＝１〜１０、但し、Ｒ６及びＲ７は異なって、１≦ｘ＋ｙ≦１０を満たす、
・Ｒ５＝炭素数１〜８のアルキル基、Ｒ６＝炭素数２〜４のアルキレン基、ｘ＝１〜１０、ｙ＝０、
・Ｒ５＝炭素数１〜８の直鎖状アルキル基、Ｒ６＝エチレン基、ｘ＝２〜１０、ｙ＝０、
・Ｒ５＝炭素数３〜８の分岐鎖状アルキル基、Ｒ６＝エチレン基、ｘ＝２〜１０、ｙ＝０、
・Ｒ５＝炭素数１〜８のアルキル基、Ｒ６＝炭素数２〜４のアルキレン基、ｘ＝１〜１０、Ｒ７＝炭素数２〜４のアルキレン基、ｙ＝１〜１０、但しＲ６及びＲ７は異なって、１≦ｘ＋ｙ≦１０を満たす、
等が推奨される。
また、一般式（４）で表されるポリオキシアルキレンエーテルにおいて、Ｒ８、Ｒ９、Ｒ１０、Ｒ１１、ｘ１、ｙ１、ｚの好ましい組み合わせとしては、
・Ｒ８＝Ｈ、Ｒ１０＝炭素数５〜８のアルキレン基、ｚ＝１〜４、ｘ１＝ｙ１＝０、
・Ｒ８＝Ｈ、Ｒ１０＝炭素数５〜８の直鎖状アルキレン基、ｚ＝１〜４、
ｘ１＝ｙ１＝０、
・Ｒ８＝Ｈ、Ｒ１０＝炭素数５〜８の分岐鎖状アルキレン基、ｚ＝１〜４、ｘ１＝ｙ１＝０、
・Ｒ８＝炭素数１〜８のアルキル基、Ｒ１０＝炭素数５〜８のアルキレン基、ｚ＝１〜４、ｘ１＝ｙ１＝０、
等が推奨される。
上記一般式（３）で表されるポリオキシアルキレンエーテルの具体例を以下に例示する。尚、下記の例示において、「ＥＯ」はエチレンオキシドを指し、「ＰＯ」はプロピレンオキシドを指す。
Ｒ５が水素原子を示す一般式（３）で表されるポリオキシアルキレングリコールとしては、エチレングリコール、ジエチレングリコール、トリエチレングリコール、テトラエチレングリコール、ペンタエチレングリコール、ヘキサエチレングリコール、ヘプタエチレングリコール、オクタエチレングリコール、ノナエチレングリコール、デカエチレングリコール、プロピレングリコール、ジプロピレングリコール、トリプロピレングリコール、テトラプロピレングリコール、ペンタプロピレングリコール、ヘキサプロピレングリコール、ヘプタプロピレングリコール、オクタプロピレングリコール、ノナプロピレングリコール、デカプロピレングリコール、ブタンジオール、ジブタンジオール、トリブタンジオール、テトラブタンジオール、ペンタブタンジオール、ヘキサブタンジオール、ヘプタブタンジオール、オクタブタンジオール、ノナブタンジオール、デカブタンジオール等が挙げられる。
又、Ｒ５が炭素数１〜８のアルキル基を示す一般式（３）で表されるポリオキシアルキレンエーテルの例としては、エチレングリコールモノメチルエーテル、ジエチレングリコールモノメチルエーテル、トリエチレングリコールモノメチルエーテル、テトラエチレングリコールモノメチルエーテル、ペンタエチレングリコールモノメチルエーテル、ポリオキシエチレン（ＥＯ付加モル数＝６〜１０）モノメチルエーテル、エチレングリコールモノエチルエーテル、ジエチレングリコールモノエチルエーテル、トリエチレングリコールモノエチルエーテル、テトラエチレングリコールモノエチルエーテル、ペンタエチレングリコールモノエチルエーテル、ポリオキシエチレン（ＥＯ付加モル数＝６〜１０）モノエチルエーテル、エチレングリコールモノプロピルエーテル、ジエチレングリコールモノプロピルエーテル、トリエチレングリコールモノプロピルエーテル、ポリオキシエチレン（ＥＯ付加モル数＝４〜１０）モノプロピルエーテル、エチレングリコールモノイソプロピルエーテル、ジエチレングリコールモノイソプロピルエーテル、トリエチレングリコールモノイソプロピルエーテル、ポリオキシエチレン（ＥＯ付加モル数＝４〜１０）モノイソプロピルエーテル、エチレングリコールモノブチルエーテル、ジエチレングリコールモノブチルエーテル、トリエチレングリコールモノブチルエーテル、ポリオキシエチレン（ＥＯ付加モル数＝４〜１０）モノブチルエーテル、エチレングリコールモノイソブチルエーテル、ジエチレングリコールモノイソブチルエーテル、トリエチレングリコールモノイソブチルエーテル、ポリオキシエチレン（ＥＯ付加モル数＝４〜１０）モノイソブチルエーテル、エチレングリコールモノヘキシルエーテル、ジエチレングリコールモノヘキシルエーテル、トリエチレングリコールモノヘキシルエーテル、ポリオキシエチレン（ＥＯ付加モル数＝４〜１０）モノヘキシルエーテル、エチレングリコールモノ（２−エチルヘキシル）エーテル、ジエチレングリコールモノ（２−エチルヘキシル）エーテル、トリエチレングリコールモノ（２−エチルヘキシル）エーテル、ポリオキシエチレン（ＥＯ付加モル数＝４〜１０）２−エチルヘキシルエーテル、ポリオキシエチレン（ＥＯ付加モル数＝１〜１０）オクチルエーテル、プロピレングリコールモノメチルエーテル、ジプロピレングリコールモノメチルエーテル、ポリオキシプロピレン（ＰＯ付加モル数＝３〜１０）モノメチルエーテル、プロピレングリコールモノエチルエーテル、ジプロピレングリコールモノエチルエーテル、プロピレングリコールモノプロピルエーテル、ジプロピレングリコールモノプロピルエーテル、ポリオキシプロピレン（ＰＯ付加モル数＝４〜１０）モノプロピルエーテル、プロピレングリコールモノイソプロピルエーテル、ジプロピレングリコールモノイソプロピルエーテル、トリエチレングリコールモノイソプロピルエーテル、ポリオキシプロピレン（ＰＯ付加モル数＝４〜１０）モノイソプロピルエーテル、プロピレングリコールモノブチルエーテル、ジプロピレングリコールモノブチルエーテル、トリプロピレングリコールモノブチルエーテル、ポリオキシプロピレン（ＰＯ付加モル数＝４〜１０）モノブチルエーテル、プロピレングリコールモノイソブチルエーテル、トリプロピレングリコールモノイソブチルエーテル、ポリオキシプロピレン（ＰＯ付加モル数＝４〜１０）モノイソブチルエーテル、プロピレングリコールモノヘキシルエーテル、ジプロピレングリコールモノヘキシルエーテル、トリプロピレングリコールモノヘキシルエーテル、ポリオキシプロピレン（ＰＯ付加モル数＝４〜１０）モノヘキシルエーテル、プロピレングリコールモノ（２−エチルヘキシル）エーテル、ジプロピレングリコールモノ（２−エチルヘキシル）エーテル、トリプロピレングリコールモノ（２−エチルヘキシル）エーテル、ポリオキシプロピレン（ＰＯ付加モル数＝４〜１０）モノ（２−エチルヘキシル）エーテル等が例示される。
一般式（４）で表される具体的なポリオキシアルキレンエーテルとしては、１，５−ペンタメチレングリコール、１，６−ヘキサメチレングリコール、１，７−ヘプタメチレングリコール、１，８−オクタメチレングリコール、１，９−ノナメチレングリコール、１，１０−デカメチレングリコール、イソプレングリコール、ヘキシレングリコール、オクタンジオール、ジエチルプロパンジオール、ブチルエチルプロパンジオール、２，４−ジエチル−１，５−ペンタンジオール、３−メチル−１，５−ペンタンジオール等が例示される。
一般式（３）で表されるポリオキシアルキレンエーテルの中でもより好ましくは、ジエチレングリコールモノブチルエーテル、ジエチレングリコールモノヘキシルエーテル、ジエチレングリコールモノ（２−エチルヘキシル）エーテル、ジプロピレングリコール、トリプロピレングリコール、ポリオキシエチレン（ＥＯ付加モル数＝２〜１０）オクチルエーテル、ポリオキシエチレン（ＥＯ付加モル数＝２〜１０）２−エチルヘキシルエーテル等が推奨される。
又、一般式（４）で表されるポリオキシアルキレンエーテルのなかでもより好ましくは、１，６−ヘキサメチレングリコール、ヘキシレングリコール、１，７−ヘプタメチレングリコール、ジエチルプロパンジオール、ブチルエチルプロパンジオール、２，４−ジエチル−１，５−ペンタンジオール、３−メチル−１，５−ペンタンジオール等が推奨される。
一般式（２）で表されるポリオキシアルキレングリセリルエーテル
一般式（２）で表されるポリオキシアルキレングリセリルエーテルにおいて、Ｒ３は、炭素数２〜４のアルキレン基を表す。Ｒ４は、水素原子又は炭素数１〜１０のアルキル基を表す。ｎは、０〜８の整数を表す。
Ｒ３で表される炭素数２〜４のアルキレン基の具体例としては、エチレン基、プロピレン基、イソプロピレン基、ブチレン基、イソブチレン基が挙げられる。
具体的なＲ４としては、水素原子又は炭素数１〜１０の直鎖状のアルキル基又は炭素数３〜１０の分岐鎖状のアルキル基が挙げられ、より好ましくは、水素原子又は炭素数１〜８の直鎖状のアルキル基又は炭素数３〜８の分岐鎖状のアルキル基が推奨される。
一般式（２）で表されるポリオキシアルキレングリセリルエーテルは、例えば、グリセリンに炭素数２〜４のアルキレンオキシドを付加（又は共付加）させる方法（Ｒ４＝Ｈ）によるか、一般式（３）で表されるポリオキシアルキレンエーテル（Ｒ５＝炭素数１〜８のアルキル基）とグリシドールとを反応させる方法
（Ｒ４＝炭素数１〜１０のアルキル基）等の慣用されている方法により調製可能である。
ここで、ｎで表されるオキシアルキレン基の数としては、０〜８であるが、平均値で表されることがある。
ここで、グリセリンに炭素数２〜４のアルキレンオキシドを付加（又は共付加）させる方法を用いた場合、一般式（２）で表されるポリオキシアルキレングリセリルエーテル以外に、一般式（２）中のグリセリン骨格の遊離水酸基にもアルキレンオキシドが付加された化合物が得られるが、一般式（２）のポリオキシアルキレングリセリルエーテルは、このような化合物を含有していても効果的である。特に、グリセリンに炭素数２〜４のアルキレンオキシドを付加させた場合、一般式（２）で表されるポリオキシアルキレングリセリルエーテルとこのような化合物との混合物が得られ、このような混合物であっても本発明で使用できる。  一般式（２）中のグリセリン骨格の遊離水酸基にアルキレンオキシドが付加された化合物としては、一般式（５）
0004696435.tif 000006
［式中、３つのＲ’は、同一又は異なって、基−（Ｒ３Ｏ）ｎ１−Ｈを表す。Ｒ３は、前記に同じである。ｎ１は０〜８の整数である。３つのｎ１は、同一又は異なって、それらの合計は１〜８、特に２〜８である。］
で表されるものである。
一般的に、上記一般式（５）で表される化合物は、一般式（２）で表されるポリオキシアルキレングリセリルエーテル１００重量部に対して、１００重量部以下の量で生成することが多い。本発明では、上記一般式（２）で表されるポリオキシアルキレングリセリルエーテル１００重量部と、上記一般式（５）で表される化合物１００重量部以下との混合物を使用しても特に差し支えない。
一般式（２）で表されるポリオキシアルキレングリセリルエーテルにおいて、Ｒ３、Ｒ４、ｎの好ましい組み合わせとしては、
・Ｒ４＝Ｈ、ｎ＝０、
・Ｒ４＝Ｈ、Ｒ３＝炭素数２〜４のアルキレン基、ｎ＝１〜８、
・Ｒ４＝炭素数１〜８のアルキル基、ｎ＝０、
・Ｒ４＝炭素数１〜８のアルキル基、Ｒ３＝炭素数２〜４のアルキレン基、ｎ＝１〜８、
が推奨される。
より具体的なＲ４としては、水素原子に加えて、メチル基、エチル基、ｎ−プロピル基、イソプロピル基、ｎ−ブチル基、イソブチル基、ｓｅｃ−ブチル基、ｎ−ペンチル基、イソペンチル基、ｎ−ヘキシル基、イソヘキシル基、ｎ−ヘプチル基、イソヘプチル基、２−メチルヘキシル基、ｎ−オクチル基、１−メチルヘプチル基、２−メチルヘプチル基、２−エチルヘキシル基、２−オクチル基、イソオクチル基、ｎ−ノニル基、イソノニル基、３，５，５−トリメチルヘキシル基、ｎ−デシル基、イソデシル基等が例示される。Ｒ４としては、好ましくは、水素原子、メチル基、エチル基、ｎ−プロピル基、イソプロピル基、ｎ−ブチル基、イソブチル基、ｓｅｃ−ブチル基、ｎ−ペンチル基、イソペンチル基、ｎ−ヘキシル基、イソヘキシル基、ｎ−ヘプチル基、イソヘプチル基、２−メチルヘキシル基、ｎ−オクチル基、１−メチルヘプチル基、２−メチルヘプチル基、２−エチルヘキシル基、２−オクチル基、イソオクチル基等が推奨される。
一般式（２）で表されるポリオキシアルキレングリセリルエーテルの具体的な化合物を以下に例示する。
Ｒ４が水素原子であるポリオキシアルキレングリセリルエーテルとしては、グリセリン、ポリオキシエチレン（ＥＯ付加モル数＝１〜８）グリセリルエーテル、ポリオキシプロピレン（ＰＯ付加モル数＝１〜８）グリセリルエーテル、ポリオキシブチレン（ＢＯ付加モル数＝１〜８）グリセリルエーテルが例示される。ここで、「ＰＯ」はプロピレンオキシドを、「ＢＯ」はブチレンオキシドを指す。
Ｒ４が炭素数１〜１０のアルキル基であるポリオキシアルキレングリセリルエーテルとしては、オキシエチレングリセリルメチルエーテル、ジオキシエチレングリセリルメチルエーテル、トリオキシエチレングリセリルメチルエーテル、テトラオキシエチレングリセリルメチルエーテル、ペンタオキシエチレングリセリルメチルエーテル、ヘキサオキシエチレングリセリルメチルエーテル、ヘプタオキシエチレングリセリルメチルエーテル、オクタオキシエチレングリセリルメチルエーテル、オキシエチレングリセリルエチルエーテル、ジオキシエチレングリセリルエチルエーテル、トリオキシエチレングリセリルエチルエーテル、テトラオキシエチレングリセリルエチルエーテル、ペンタオキシエチレングリセリルエチルエーテル、ヘキサオキシエチレングリセリルエチルエーテル、ヘプタオキシエチレングリセリルエチルエーテル、オクタオキシエチレングリセリルエチルエーテル、オキシエチレングリセリルプロピルエーテル、ジオキシエチレングリセリルプロピルエーテル、トリオキシエチレングリセリルプロピルエーテル、テトラオキシエチレングリセリルプロピルエーテル、ペンタオキシエチレングリセリルプロピルエーテル、ヘキサオキシエチレングリセリルプロピルエーテル、ヘプタオキシエチレングリセリルプロピルエーテル、オクタオキシエチレングリセリルプロピルエーテル、オキシエチレングリセリルブチルエーテル、ジオキシエチレングリセリルブチルエーテル、トリオキシエチレングリセリルブチルエーテル、テトラオキシエチレングリセリルブチルエーテル、ペンタオキシエチレングリセリルブチルエーテル、ヘキサオキシエチレングリセリルブチルエーテル、ヘプタオキシエチレングリセリルブチルエーテル、オクタオキシエチレングリセリルブチルエーテル、オキシエチレングリセリルペンチルエーテル、ジオキシエチレングリセリルペンチルエーテル、トリオキシエチレングリセリルペンチルエーテル、テトラオキシエチレングリセリルペンチルエーテル、ペンタオキシエチレングリセリルペンチルエーテル、ヘキサオキシエチレングリセリルペンチルエーテル、ヘプタオキシエチレングリセリルペンチルエーテル、オクタオキシエチレングリセリルペンチルエーテル、オキシエチレングリセリルヘキシルエーテル、ジオキシエチレングリセリルヘキシルエーテル、トリオキシエチレングリセリルヘキシルエーテル、テトラオキシエチレングリセリルヘキシルエーテル、ペンタオキシエチレングリセリルヘキシルエーテル、ヘキサオキシエチレングリセリルヘキシルエーテル、ヘプタオキシエチレングリセリルヘキシルエーテル、オクタオキシエチレングリセリルヘキシルエーテル、オキシエチレングリセリルヘプチルエーテル、ジオキシエチレングリセリルヘプチルエーテル、トリオキシエチレングリセリルヘプチルエーテル、テトラオキシエチレングリセリルヘプチルエーテル、ペンタオキシエチレングリセリルヘプチルエーテル、ヘキサオキシエチレングリセリルヘプチルエーテル、ヘプタオキシエチレングリセリルヘプチルエーテル、オクタオキシエチレングリセリルヘプチルエーテル、オキシエチレングリセリルオクチルエーテル、ジオキシエチレングリセリルオクチルエーテル、トリオキシエチレングリセリルオクチルエーテル、テトラオキシエチレングリセリルオクチルエーテル、ペンタオキシエチレングリセリルオクチルエーテル、ヘキサオキシエチレングリセリルオクチルエーテル、ヘプタオキシエチレングリセリルオクチルエーテル、オクタオキシエチレングリセリルオクチルエーテル、オキシプロピレングリセリルメチルエーテル、ジオキシプロピレングリセリルメチルエーテル、トリオキシプロピレングリセリルメチルエーテル、テトラオキシプロピレングリセリルメチルエーテル、ペンタオキシプロピレングリセリルメチルエーテル、ヘキサオキシプロピレングリセリルメチルエーテル、ヘプタオキシプロピレングリセリルメチルエーテル、オクタオキシプロピレングリセリルメチルエーテル、オキシプロピレングリセリルエチルエーテル、ジオキシプロピレングリセリルエチルエーテル、トリオキシプロピレングリセリルエチルエーテル、テトラオキシプロピレングリセリルエチルエーテル、ペンタオキシプロピレングリセリルエチルエーテル、ヘキサオキシプロピレングリセリルエチルエーテル、ヘプタオキシプロピレングリセリルエチルエーテル、オクタオキシプロピレングリセリルエチルエーテル、オキシプロピレングリセリルプロピルエーテル、ジオキシプロピレングリセリルプロピルエーテル、トリオキシプロピレングリセリルプロピルエーテル、テトラオキシプロピレングリセリルプロピルエーテル、ペンタオキシプロピレングリセリルプロピルエーテル、ヘキサオキシプロピレングリセリルプロピルエーテル、ヘプタオキシプロピレングリセリルプロピルエーテル、オクタオキシプロピレングリセリルプロピルエーテル、オキシプロピレングリセリルブチルエーテル、ジオキシプロピレングリセリルブチルエーテル、トリオキシプロピレングリセリルブチルエーテル、テトラオキシプロピレングリセリルブチルエーテル、ペンタオキシプロピレングリセリルブチルエーテル、ヘキサオキシプロピレングリセリルブチルエーテル、ヘプタオキシプロピレングリセリルブチルエーテル、オクタオキシプロピレングリセリルブチルエーテル、オキシプロピレングリセリルペンチルエーテル、ジオキシプロピレングリセリルペンチルエーテル、トリオキシプロピレングリセリルペンチルエーテル、テトラオキシプロピレングリセリルペンチルエーテル、ペンタオキシプロピレングリセリルペンチルエーテル、ヘキサオキシプロピレングリセリルペンチルエーテル、ヘプタオキシプロピレングリセリルペンチルエーテル、オクタオキシプロピレングリセリルペンチルエーテル、オキシプロピレングリセリルヘキシルエーテル、ジオキシプロピレングリセリルヘキシルエーテル、トリオキシプロピレングリセリルヘキシルエーテル、テトラオキシプロピレングリセリルヘキシルエーテル、ペンタオキシプロピレングリセリルヘキシルエーテル、ヘキサオキシプロピレングリセリルヘキシルエーテル、ヘプタオキシプロピレングリセリルヘキシルエーテル、オクタオキシプロピレングリセリルヘキシルエーテル、オキシプロピレングリセリルヘプチルエーテル、ジオキシプロピレングリセリルヘプチルエーテル、トリオキシプロピレングリセリルヘプチルエーテル、テトラオキシプロピレングリセリルヘプチルエーテル、ペンタオキシプロピレングリセリルヘプチルエーテル、ヘキサオキシプロピレングリセリルヘプチルエーテル、ヘプタオキシプロピレングリセリルヘプチルエーテル、オクタオキシプロピレングリセリルヘプチルエーテル、オキシプロピレングリセリルオクチルエーテル、ジオキシプロピレングリセリルオクチルエーテル、トリオキシプロピレングリセリルオクチルエーテル、テトラオキシプロピレングリセリルオクチルエーテル、ペンタオキシプロピレングリセリルオクチルエーテル、ヘキサオキシプロピレングリセリルオクチルエーテル、ヘプタオキシプロピレングリセリルオクチルエーテル、オクタオキシプロピレングリセリルオクチルエーテル等が例示される。
更に、一般式（１）で表されるポリオキシアルキレンエーテル及び一般式（２）で表されるポリオキシアルキレングリセリルエーテルの混合物も、オイルフィルター目詰まり防止剤の水酸基含有成分として好ましい形態である。
好ましい一般式（１）で表されるポリオキシアルキレンエーテル及び一般式（２）で表されるポリオキシアルキレングリセリルエーテルの組み合わせとしては、
・ジプロピレングリコール／トリオキシエチレングリセリルエーテル、
・ジプロピレングリコール／グリセリン、
・ヘキシレングリコール／トリオキシエチレングリセリルエーテル、
・ヘキシレングリコール／グリセリン、
・ジエチレングリコールモノブチルエーテル／トリオキシエチレングリセリルエーテル、
・ジエチレングリコールモノブチルエーテル／グリセリン、
・ジエチレングリコールモノヘキシルエーテル／トリオキシエチレングリセリルエーテル、
・ジエチレングリコールモノヘキシルエーテル／グリセリン、
・ジエチレングリコールモノ（２−エチルヘキシル）エーテル／トリオキシエチレングリセリルエーテル、
・ジエチレングリコールモノ（２−エチルヘキシル）エーテル／グリセリン、
・ヘキサメチレングリコール／トリオキシエチレングリセリルエーテル、
・ヘキサメチレングリコール／グリセリン、
等が推奨される。
一般式（１）で表されるポリオキシアルキレンエーテル及び一般式（２）で表されるポリオキシアルキレングリセリルエーテルの混合物において、好ましい混合比としては、一般式（１）で表されるポリオキシアルキレンエーテル（Ａ）と一般式（２）で表されるポリオキシアルキレングリセリルエーテル（Ｂ）との重量比が、（Ａ）：（Ｂ）＝５０：５０〜９９：１が推奨され、より好ましくは６０：４０〜９９：１である。
エンジン油組成物
本発明のエンジン油組成物は、一般式（１）で表されるポリオキシアルキレンエーテル及び一般式（２）で表されるポリオキシアルキレングリセリルエーテルからなる群から選択される１種または２種以上の水酸基含有成分からなるオイルフィルター目詰まり防止剤を含有する。
本発明のエンジン油組成物に用いる基油としては、１００℃の動粘度が３〜３０［ｍｍ２／ｓ］、粘度指数が５０〜１６０の鉱油系基油又は合成系基油或いは両者の混合物の基油が用いられる。
鉱油系基油としては、例えば溶剤精製鉱油、水素化精製鉱油、ワックス異性化油等が例示される。
合成系基油としては、合成炭化水素油、エステル油、エーテル油等が例示される。
合成炭化水素油としては、ポリ−α−オレフィン、ポリブテン、アルキルベンゼン、アルキルナフタレン等が例示される。
エステル油としては、脂肪族ジエステル、ポリオールエステル等が例示されるる。
又、これらの基油を用いて本発明のエンジン油組成物を調製した際に、当該組成物の全塩基価が５〜２０ｍｇＫＯＨ／ｇであるものが推奨される。ここで、「全塩基価」とは、石油製品及び潤滑油−中和価試験方法（ＪＩＳ−Ｋ−２５０１）により測定される全塩基価である。
本発明に使用するオイルフィルター目詰まり防止剤は、前記記載のものをそのまま使用することができる。その配合割合は、エンジン油組成物全量に対して、０．０１〜２重量％であり、好ましくは０．０３〜１重量％である。オイルフィルター目詰まり防止剤の量が少なすぎると、フーツ状スラッジ生成抑制効果が小さくなる傾向があり、逆に多すぎるとエンジン油に溶けにくい傾向がある。
本発明のエンジン油組成物には、その性能を向上させる目的で、必要に応じて、酸化防止剤、耐摩耗剤、無灰清浄分散剤、金属清浄剤、消泡剤等の基本添加剤の他に粘度指数向上剤、金属腐食防止剤、金属不活性剤、摩擦調整剤、流動点降下剤、防錆剤等の添加剤の１種又は２種以上を配合することができる。
酸化防止剤としては、２，６−ジ−ｔ−ブチルパラクレゾール、４，４’−メチレンビス（２，６−ジ−ｔ−ブチルフェノール）等のヒンダードフェノール化合物、Ｎ−フェニル−α−ナフチルアミン、ｐ、ｐ’−ジオクチルジフェニルアミン等の芳香族アミン化合物、４，４’−チオビス（６−ｔ−ブチル−３−メチルフェノール）、フェノチアジン等の硫黄化合物、フォスファイト化合物、ジアルキルジチオリン酸亜鉛、ジアリールジチオリン酸亜鉛等のチオリン酸亜鉛化合物、ジアルキルジチオカルバミン酸亜鉛化合物の化合物が例示される。これらを使用する場合は、いずれも、通常、基油に対して０．１〜５重量％添加される。
耐摩耗剤としては、ジアルキルジチオリン酸亜鉛、ジアリールジチオリン酸亜鉛等のチオリン酸亜鉛化合物、オレフィンポリサルファイド、硫化油脂、硫化エステル等の有機硫黄化合物、アルキル及びアリールリン酸エステル、アルキル及びアリール亜リン酸エステル等の有機リン化合物が例示され、これらを使用する場合は、いずれも、通常、基油に対して０．０５〜５重量％添加される。
無灰分散剤としては、ポリアルケニルコハク酸イミド、ポリアルケニルコハク酸アミド、ポリアルケニルコハク酸エステル等が例示され、これらを使用する場合は、いずれも、通常、基油に対して１〜１０重量％添加される。
金属清浄剤としては、金属スルホネート、塩基性金属スルホネート、過塩基性金属スルホネート、金属フェネート、塩基性金属フェネート、過塩基性金属フェネート、金属サリシレート、塩基性金属サリシレート、過塩基性金属サリシレート、金属チオプロホスホネート、金属ホスホネート、金属カルボキシレート等が例示され、これらを使用する場合は、いずれも、通常、基油に対して１〜１０重量％添加される。
消泡剤としては、ポリジメチルシリコーン等のシリコーン化合物が例示され、これを使用する場合は、通常、基油に対して１〜１００ｐｐｍ添加される。
粘度指数向上剤としてはポリアルキルメタクリレート系、アルキルメタクリレート−エチレンコポリマー系、アルキルメタクリレート−プロピレンコポリマー系、ポリイソブチレン系、ポリアルキルスチレン系、エチレン−プロピレンコポリマー系、スチレン−ブタジエンコポリマー系、スチレン−無水マレイン酸エステル共重合体系等の化合物が挙げられ、これらを使用する場合は、いずれも、通常、基油に対して１〜２０重量％添加される。
流動点降下剤としては、ポリアルキルメタクリレート系、ポリアルキルクリレート系、ポリブテン系、ポリアルキルスチレン系、ポリビニルアセテート系等が挙げられ、これらを使用する場合は、いずれも、通常、基油に対して０．０５〜１重量％添加される。
摩擦調整剤としては、グリセリンのオレイン酸エステル等のエステル化合物、オレイン酸アミド等のアミド化合物、ステアリン酸、オレイン酸等の脂肪酸化合物、ステアリルアルコール、オレイルアルコール等のアルコール、アルカン−１，２−ジオール、グリセリンモノアルキル（炭素数１２〜２０）エーテル又はグリセリンモノアルケニルエーテル、オレイルアミン等のアミン、モリブデンジチオカーバメイト、モリブデンジチオフォスフェート等の有機モリブデン化合物等が挙げられ、これらを使用する場合は、いずれも、通常、基油に対して０．０５〜５重量％添加される。
金属不活性剤及び腐食防止剤としては、ベンゾトリアゾール、２，５−ビス（ｎ−ドデシルジチオ）−１，３，４−チアジアゾール等のチアジアゾール化合物が例示され、これらを使用する場合は、いずれも、通常、基油に対して０．０１〜２重量％配合される。
防錆剤としては、スルフォン酸塩、カルボン酸塩、有機アミン石鹸、ソルビタン部分エステルが例示され、これらを使用する場合は、いずれも、通常、基油に対して、０．０５〜３重量％配合される。
界面活性剤としては、ポリオキシアルキレンアルキル（炭素数１２〜２０）エーテル、ポリオキシアルキレンアルケニル（炭素数１２〜２０）エーテル、ポリオキシアルキルアミン、ポリオキシエチレンアルキルフェニルエーテルなどの化合物が例示され、これらを使用する場合は、いずれも、通常、基油に対して、０．０２〜５重量％配合される。
更に、本発明のオイルフィルター目詰まり防止剤は、オイルフィルターを備えた各種内燃機関用の潤滑油、オイルフィルターを備えた他の装置（例えば、油圧装置、コンプレッサー等）用の潤滑油に使用することにより、オイルフィルターの目詰まり、特に、水の存在下で該潤滑油からスラッジが生成することによるオイルフィルター目詰まりを防止する方法を提供する。
適用できる潤滑油としては、ガソリンエンジン油、ディーゼルエンジン油、舶用エンジン油、農業用トラクターエンジン油等のエンジン油分野、油圧作動油、コンプレッサー油、摺動面油等が例示できる。
又、その実施形態は、前述のエンジン油組成物に記載の実施形態をそのまま適用することができる。
実施例
以下、実施例および比較例に基いて本発明を具体的に説明する。ただし、本発明はこれらの例によって何ら限定されるものではない。なお、各実施例、比較例におけるエンジン油組成物に混入した水分によるフィルター目詰まりの起こり安さの度合いをフィルタラビリティ試験法で評価した。
評価試験：フィルタラビリティ試験法
供試エンジン油組成物９９ｍｌに蒸留水１．０ｍｌを加えた試料を２サンプル（試料Ｎｏ．１と試料Ｎｏ．２）を作成する。各々の試料を２００ｍｌ分液ロートに入れ、分液ロート用シェーカにて５分間震とうする。震とうは縦方向で２５０回／分とする。震とう後、室温で２４時間放置する。再び分液ロート用シェーカで同様に５分間震とう後、ビーカに移し３分間泡が少なくなるのを待つ。
次いで、試料Ｎｏ．１（１００ｍｌ）を濾過装置のカップに注ぎ、５００ｍｍＨｇ（６６，５００Ｐａ）の減圧下で吸引濾過し、試料がフィルターを全量通過する時間を測定し、第１回目の濾過時間とする。
次いで、試料Ｎｏ．２（１００ｍｌ）をカップに注ぎ、フィルターを通過する時間を測定し、第２回目の濾過時間とする。
なお、第２回目の濾過時間を測定するときのフィルターは交換しない。フィルターを通過する時間が３０分以上の場合は試験を終了し、不合格とする。使用したフィルターはアドバンテック東洋社製硝酸セルロース製のもので、ポアサイズ３．０ミクロン、直径４７ｍｍのものを用いる。
＜判定基準＞
濾過時間の秒の数値は、１〜１５秒は０．２５分、１６〜３０秒は０．５０分、３１〜４５秒は０．７５分、４６〜６０秒は１．００分と表示した。濾過時間が３０分以上かかるものは不合格とし、３０分以内のものは測定値を示した。
エンジン油は、下記の規格のものを用いた。
・エンジン油Ａ：ＡＰＩ  ＣＥ規格に適合、全塩基価９．７ｍｇＫＯＨ／ｇ
・エンジン油Ｂ：ＡＰＩ  ＣＥ規格に適合、全塩基価８．２ｍｇＫＯＨ／ｇ
・エンジン油Ｃ：ＡＰＩ  ＣＦ−４規格に適合、全塩基価１０．６ｍｇＫＯＨ／ｇ
・エンジン油Ｄ：ＡＰＩ  ＣＦ−４規格に適合、全塩基価８．１ｍｇＫＯＨ／ｇ
オイルフィルタ目詰まり防止剤として、以下の水酸基含有成分を使用した。
・ジエチレングリコールモノブチルエーテル（日本乳化剤社製）、
・ジエチレングリコールモノヘキシルエーテル（日本乳化剤社製）、
・ジエチレングリコールモノ（２−エチルヘキシル）エーテル（日本乳化剤社製）、
・ヘキサメチレングリコール（ナカライテスク社製）、
・ジプロピレングリコール（ナカライテスク社製）、
・ポリオキシエチレン（ＥＯ平均付加モル数＝７）オクチルエーテル（コニオンＷ−７０、新日本理化社試作品）、
・ポリオキシエチレン（ＥＯ平均付加モル数＝２）オクチルエーテル（コニオンＤ−２２、新日本理化社試作品）、
・トリオキシエチレングリセリルエーテル（コニオンＲＧ−３０、新日本理化社試作品）、
・ポリオキシエチレン（ＥＯ平均付加モル数＝４．５）ノニルフェニルエーテル（ライオン社製）、
・ポリオキシエチレン（ＥＯ平均付加モル数＝４）ラウリルエーテル（コニオン２７５−ＥＯ４０、新日本理化試作品）、
・ポリオキシエチレン（ＥＯ平均付加モル数＝７）ラウリルエーテル（コニオン２７５−ＥＯ７０、新日本理化社試作品）、
実施例１〜９
表１に記載のエンジン油及びオイルフィルタ目詰まり防止剤を、表１に記載の割合で配合し、エンジン油組成物を調製した。このフィルタラビリティ試験を行った。その評価結果を表１に示す。
尚、表１において各成分の使用量は、重量％で示している。表２〜表４においても同じ。また、表１〜４において、「ＥＯ」はエチレンオキシドを示し、ＥＯの次の数字はＥＯの重合度を示す。
0004696435.tif 000007
実施例１０〜１６
表２に記載のエンジン油及びオイルフィルタ目詰まり防止剤を、表２に記載の割合で所定量配合し、エンジン油組成物を調製した。このフィルタラビリティ試験を行った。その評価結果を表２に示す。
0004696435.tif 000008
実施例１７〜２１
表３に記載のエンジン油及びオイルフィルタ目詰まり防止剤を所定量配合し、エンジン油組成物を調製した。フィルタラビリティ試験を行った。その評価結果を表３に示す。
0004696435.tif 000009
比較例１〜１１
上記エンジン油に従来技術の非イオン系界面活性剤であるポリオキシエチレンノニルフェニルエーテル及びポリオキシエチレンラウリルエーテルを配合してエンジン油組成物を調製した。得られたエンジン油組成物と界面活性剤を添加しないエンジン油組成物について、フィルタラビリティ試験を行った。その評価結果を表４に示す。
0004696435.tif 000010
発明の効果
本発明の水酸基含有成分を配合したエンジン油は、従来の非イオン系界面活性剤よりフィルタ濾過性能が優れており、実用上極めて有用である。